(57)【特許請求の範囲】
【請求項１】
リモコン受信機と、光源と、処理部と、バッテリーと、を有する照明装置本体と、リモコン送信機と、を有し、
前記処理部は、前記リモコン受信機と、前記光源と、前記バッテリーと接続し、かつ、スイッチを介して商用電源と接続しており、
前記光源は、メインランプと、補助灯と、を有し、
前記処理部は、前記スイッチ、あるいは前記リモコン送信機により、前記光源が点灯をするよう制御を行い、
前記処理部は、前記商用電源からの給電がある場合は、前記商用電源により駆動し、前記スイッチ、あるいは前記リモコン送信機により、前記メインランプ、あるいは前記補助灯の点灯の制御を行い、前記商用電源からの給電がない場合は、前記バッテリーにより駆動し、前記リモコン送信機のみから前記補助灯のみの点灯の制御を行うことを特徴とする照明装置。
【請求項２】
請求項１に記載の照明装置であって、
停電時にリモコン送信機の特定信号のみ受信したときにバッテリーにて光源を点灯させることを特徴とする照明装置。
【請求項３】
前記光源は、補助灯あるいは保安灯を有し、
停電したときに補助灯点灯信号あるいは保安灯点灯信号を受信した場合に内蔵したバッテリーにて補助灯あるいは保安灯を点灯させる請求項１または２に記載の照明装置。
【発明の詳細な説明】
【技術分野】
【０００１】
本発明は、照明装置に関するものである。
【背景技術】
【０００２】
従来、停電したときに補助灯などを点灯させるようにした照明装置が知られている。これらは、照明装置内の照明器具に内蔵の回路にて入力電源の有無を判定し、入力電源が無くなったと判定した時に、内蔵しているバッテリー（二次電池）を電源として補助灯を点灯させている。
【０００３】
そして、これらのバッテリー（二次電池）を照明装置本体に備えているもの（特許文献１、３ｄ参照）、あるいは、照明装置本体とは別ユニット式にしたもの（特許文献２参照）などがある。
【先行技術文献】
【特許文献】
【０００４】
【特許文献１】特開２００７−２８７５００号公報
【特許文献２】特開平８−２２８４４２号公報
【発明の概要】
【発明が解決しようとする課題】
【０００５】
しかしながら、特許文献１、２に記載の発明では、特に家庭用の照明装置は壁スイッチの操作で点灯、消灯の操作をする場合があり、壁スイッチにてオフした場合には停電との区別ができず、内蔵しているバッテリーにて補助灯が点灯してしまう恐れがある。
【０００６】
その場合、壁スイッチにて照明器具のオン、オフをする度に補助灯が点灯してしまうため、内蔵しているバッテリーの充電、放電を繰返すことになり内蔵しているバッテリーが早期に寿命となってしまう恐れがある。
【０００７】
本発明は、壁スイッチにて照明器具のオン、オフを行ったり、頻繁に停電が起きてもバッテリーが早期に寿命となってしまうことのない照明装置を提供することを目的とする。
【課題を解決するための手段】
【０００８】
前記課題を解決するために、本発明は、リモコン受信機と、光源と、処理部と、バッテリーと、を有する照明装置本体と、リモコン送信機と、を有し、前記処理部は、前記リモコン受信機と、前記光源と、前記バッテリーと接続し、かつ、スイッチを介して商用電源と接続しており、前記光源は、メインランプと、補助灯と、を有し、前記処理部は、前記スイッチ、あるいは前記リモコン送信機により、前記光源が点灯をするよう制御を行い、  前記処理部は、前記商用電源からの給電がある場合は、前記商用電源により駆動し、前記スイッチ、あるいは前記リモコン送信機により、前記メインランプ、あるいは前記補助灯の点灯の制御を行い、前記商用電源からの給電がない場合は、前記バッテリーにより駆動し、前記リモコン送信機のみから前記補助灯のみの点灯の制御を行うことを特徴とする。
【発明の効果】
【０００９】
本発明によれば、停電時に光源を点灯させる条件として、光源点灯のリモコン信号受信時のみとしたことにより、壁スイッチオフ時にリモコン操作をしなければ光源が点灯しないため、バッテリーの消耗を抑えバッテリーの早期寿命を抑制できる照明装置を提供することができる。
【図面の簡単な説明】
【００１０】
【図１】本発明の一実施例の照明装置の構成例を示す図である。
【図２】本発明の一実施例の照明装置の回路ブロック図である。
【図３】本発明の一実施例の照明装置の処理フロー例を示す図である。
【発明を実施するための形態】
【００１１】
以下、図を用いて説明する。
【００１２】
（照明システムの概要）
本実施形態における照明システム（照明装置）１００の概要について、図１を用いて説明する。
【００１３】
図１に示すように、照明システム（照明装置）１００は、リモコン受信機付き照明装置（照明装置本体）１とリモコン送信機２とで構成される。
【００１４】
また、リモコン受信機付き照明装置（照明装置本体）１への給電は一般家庭でよく用いられている様に壁スイッチ３を介して商用電源４に接続されており、リモコン受信機付き照明装置（照明装置本体）１はリモコン送信機２による点灯、消灯の制御以外に、壁スイッチ３のオン、オフにより点灯、消灯の制御がなされる。
【００１５】
リモコン受信機付き照明装置（照明装置本体）１は主光源であるメインランプ（第１の光源）１０と保安灯１１及び停電時に点灯可能な補助灯（第２の光源）１２を備えている。図１はメインランプ（第１の光源）１０に蛍光ランプを用いた実施例であるが、メインランプ（第１の光源）１０はこれに限るものではなく、蛍光ランプ、ＬＥＤ、水銀ランプ、ハロゲンランプ等任意のものが使用可能であるまた、保安灯１１、補助灯（第２の光源）１２も特に限定されるものではなく一般的な豆球やＬＥＤが使用可能である。更に保安灯１１と補助灯（第２の光源）１２とを１つの光源で兼用したり、保安灯１１の光源を補助灯（第２の光源）１２の光源に共用することも可能である。例えば保安灯１１のＬＥＤ光源をそのまま停電時に点灯させる光源（補助灯（第２の光源））とする場合や、停電時には明るさを確保するとともに部品点数を少なくするために補助灯（第２の光源）１２だけではなく保安灯１１も停電時に点灯させる場合などである。
【００１６】
また、リモコン受信機付き照明装置（照明装置本体）１の点灯、消灯等を制御する制御回路２０とリモコン受信回路（リモコン受信機）２１を内蔵している。６０はセードであり、メインランプ（第１の光源）１０や保安灯１１や補助灯（第２の光源）１２から出る光を制御するために施されるものである。
【００１７】
更に、停電時に光源（補助灯（第２の光源）１２、保安灯１１など）を点灯させるための電源であるバッテリー３０を内蔵している。バッテリーは一般的には二次電池タイプである。本実施例においてはリモコン受信機付き照明装置（照明装置本体）１内にバッテリー３０を配置した構成となっているが、この限りではない。光源（補助灯（第２の光源）１２、保安灯１１など）を点灯させるための電源という機能を備えていれば天井などのリモコン受信機付き照明装置（照明装置本体）１外に配置した構成でも良い。
【００１８】
（回路ブロックの説明）
次に本実施形態における照明システム（照明装置）１００の機能例について、図２を用いて説明する。
【００１９】
リモコン受信機付き照明装置（照明装置本体）１の全体の制御は制御回路２０内の処理部４０にて行われ、処理部４０は図示しないＣＰＵ（Central Processing Unit）およびメインメモリによって構成され、アプリケーションプログラムをメインメモリに展開して、種々の機能を具現化する。
【００２０】
リモコン送信機２からの送信信号はリモコン受信回路２１で受信し処理部４０へ信号が送られる。この送信信号に基づいて処理部４０はメインランプ（第１の光源）１０の駆動回路であるメインランプ（第１の光源）駆動回路４１、保安灯１１の駆動回路である保安灯駆動回路４２及び補助灯（第２の光源）１２の駆動回路である補助灯駆動回路４３を制御し送信信号通りに夫々の光源の点灯、消灯あるいは調光を行う。
【００２１】
また、制御回路２０には商用電源監視回路４４を備えており、リモコン受信機付き照明装置（照明装置本体）１への商用電源の給電状態を商用電源監視回路４４で監視し、処理部４０へ給電状態を伝達する。処理部４０では商用電源が給電されている場合は、自身を駆動する電源及び各駆動回路への駆動電源は補助電源回路５０から供給されるように電源切替回路４６を制御する。また、充電回路４５を制御しバッテリー３０を充電させる。このような状態において、使用者がリモコン送信機２による操作を行った場合、その送信信号に応じた動作をするよう処理部４０がメインランプ（第１の光源）駆動回路４１、保安灯駆動回路４２に信号を送りメインランプ（第１の光源）１０、保安灯１１の点灯、消灯或いは調光の制御を行う。
【００２２】
一方、停電又は壁スイッチ３がオフとなり商用電源４の給電が無くなった場合、自身を駆動する電源及び各駆動回路への駆動電源はバッテリー３０から供給されるように電源切替回路４６を制御する。また、充電回路４５を制御しバッテリー３０への充電を停止させると共に各駆動回路の動作も停止させ各光源を消灯させる。この状態（リモコン受信待機状態）に補助灯（第２の光源）１２の点灯信号がリモコン送信機２より送られた場合、リモコン受信回路２１で受信し処理部４０へ補助灯（第２の光源）１２の点灯信号が送られる。この送信信号を受けて処理部４０はこの送信信号に基づいて補助灯駆動回路４３を制御し補助灯（第２の光源）１２を点灯させる。尚、商用電源４の給電が無いと判定している場合には、メインランプ（第１の光源）１０を点灯させる信号が送信されても、点灯の制御は行わない。尚、保安灯１１と補助灯（第２の光源）１２とを１つの光源で兼用したり、保安灯１１の光源を補助灯（第２の光源）１２の光源に共用している場合は、リモコン送信機２の送信信号も保安灯１１の点灯信号が補助灯点灯信号となり、保安灯１１の点灯信号により停電時に保安灯１１又は保安灯１１と補助灯（第２の光源）１２とを点灯させることも可能である。
【００２３】
（動作の説明）
次に通常商用電源４が給電されている時と停電又は壁スイッチ３がオフとなり商用電源４が給電されていない時での動作フローを図３を用いて説明する。
【００２４】
通常、商用電源４が給電されている時はステップ３０１にて商用電源監視回路４４にて商用電源有りの信号が処理部４０へ送られているため、処理部４０は自身を駆動する電源及び各駆動回路への駆動電源は補助電源回路５０から供給されるように電源切替回路４６を制御する。
【００２５】
処理部４０は絶えず商用電源４からの給電を商用電源監視回路４４にて監視しておりステップ３０２にて商用電源監視回路４４により商用電源４からの給電があると判断された場合には、ステップ３０３へ進みリモコン送信機２からの送信信号に従った動作を行うようメインランプ（第１の光源）１０の駆動回路であるメインランプ（第１の光源）駆動回路４１、保安灯１１の駆動回路である保安灯駆動回路４２を制御し送信信号通りに夫々の光源の点灯、消灯あるいは調光といった通常動作を行う。
【００２６】
ステップ３０２にて商用電源監視回路４４により商用電源４からの給電が無いと判断された場合にはステップ３０４へ進み、自身を駆動する電源及び各駆動回路への駆動電源はバッテリー３０から供給されるように電源切替回路４６を制御する。また、各駆動回路の動作を停止させ各光源を消灯させることでバッテリー３０の消費を最低限に抑えリモコン信号受信待機の状態にする。
【００２７】
次のステップ３０５は絶えず行っている商用電源４からの給電状態の監視ステップである。このステップ３０５で商用電源監視回路４４により商用電源４からの給電が復旧したと判断された場合はステップ３０１へ移行する。ステップ３０５にて商用電源監視回路４４により商用電源４からの給電が無いと判断された状態でステップ３０６のリモコン信号が受信された場合、ステップ３０７にて送信信号を解読し、その送信信号が補助灯（第２の光源）１２の点灯信号であった場合、ステップ３０８に進み補助灯駆動回路４３を制御し補助灯（第２の光源）１２を点灯させる。補助灯（第２の光源）１２の点灯後はステップ３０５に戻り再度商用電源４からの給電状態を監視するステップに進む。
【００２８】
ステップ３０７において、補助灯（第２の光源）１２の点灯信号以外の送信信号、例えばメインランプ（第１の光源）１０の点灯信号の場合は、ステップ３０８に進まず、ステップ３０５の給電状態の監視ステップへ戻る。
【００２９】
また、商用電源４からの給電が復帰した場合には、処理部４０は自身を駆動する電源及び各駆動回路への駆動電源は補助電源回路５０から供給されるように電源切替回路４６を制御する。また同時に充電回路４５を制御しバッテリー３０を充電させ、次に停電となった時のために備える。
【符号の説明】
【００３０】
１  リモコン受信機付き照明装置（照明装置本体）
２  リモコン送信機
３  壁スイッチ
４  商用電源
１０  メインランプ（第１の光源）
１１  保安灯
１２  補助灯（第２の光源）
２０  制御回路
２１  リモコン受信回路（リモコン受信機）
３０  バッテリー
４０  処理部
４１  メインランプ駆動回路
４２  保安灯駆動回路
４３  補助灯駆動回路
４４  商用電源監視回路
４５  充電回路
４６  電源切替回路
５０  補助電源回路
１００  照明システム（照明装置）
【図１】
0005581281.tif 000002
【図２】
0005581281.tif 000003
【図３】
0005581281.tif 000004